(57)【要約】      （修正有）【課題】一斗缶等の重量のある物品の包装作業を、少ない労力で容易に行うことができるダンボール製包装体を提供する。【解決手段】底壁部１、一方の側壁部２、天壁部３、他方の側壁部２及び継代部４を、平行な稜線５を介して順次連設したブランクから成り、一対の側壁部２及び天壁部３を連設方向に延びる２列の壁帯６に分割し、各壁帯６の側壁部２に、外側縁の中央から内側縁へかけて、稜線５に対し４５°傾斜した斜折線７を入れておき、稜線５に沿った折り曲げに伴い、底壁部１と継代部４とを接合し、側壁部２の斜折線７に沿った折り曲げに伴い、天壁部３が反転した扁平な折畳状態とし、その折畳状態で底壁部１に物品を載せて、側壁部２の斜折線７に沿った折り曲げを伸ばすと、天壁部３が正転して物品の上面に被さり、底壁部１、対向する側壁部２及び天壁部３で物品が包まれるようにする。【選択図】図５
0003170871.tif 000002
【実用新案登録請求の範囲】
【請求項１】
底壁部(1)、一方の側壁部(2)、天壁部(3)、他方の側壁部(2)及び継代部(4)を、平行な稜線(5)を介して順次連設したブランクから成り、一対の側壁部(2)及び天壁部(3)を連設方向に延びる２列の壁帯(6)に分割し、各壁帯(6)の側壁部(2)に、外側縁の中央から内側縁へかけて、稜線(5)に対し４５°傾斜した斜折線(7)を入れておき、稜線(5)に沿った折り曲げに伴い、底壁部(1)と継代部(4)とを接合し、側壁部(2)の斜折線(7)に沿った折り曲げに伴い、天壁部(3)が反転した扁平な折畳状態とし、その折畳状態で底壁部(1)に物品を載せて、側壁部(2)の斜折線(7)に沿った折り曲げを伸ばすと、天壁部(3)が正転して物品の上面に被さり、底壁部(1)、対向する側壁部(2)及び天壁部(3)で物品が包まれるようにした段ボール製包装体。
【請求項２】
請求項１に記載の段ボール製包装体において、底壁部(1)と側壁部(2)の稜線(5)に、壁帯(6)の内側から中間部まで切目(8)を入れたことを特徴とする段ボール製包装体。
【請求項３】
請求項１又は２に記載の段ボール製包装体において、天壁部(3)と側壁部(2)の稜線(5)に、壁帯(6)の内側から中間部まで切目(8)を入れ、天壁部(3)に両側の切目(8)間に亘る折目線(9)を入れて、天壁部(3)の折目線(9)より内側部分を揺動片(10)としたことを特徴とする段ボール製包装体。
【請求項４】
請求項１乃至３のいずれかに記載の段ボール製包装体において、一対の壁帯(6)の天壁部(3)の内側端に、壁帯(6)同士を係合させる係合手段(11)を設けたことを特徴とする段ボール製包装体。
【考案の詳細な説明】
【技術分野】
【０００１】
この考案は、一斗缶のような重量のある角柱状物品の保護に適した段ボール製包装体に関するものである。
【背景技術】
【０００２】
一般に、一斗缶は、運搬時に底面側及び天面側の周囲の稜線部分をコンクリート壁面等の硬い面にぶつけると、金属板の接合部分が変形してシール性が損なわれ、液漏れが生じる恐れがある。これを防止するため、一斗缶を保護する種々の段ボール製包装体が使用されており、下記特許文献１には、図７に示すような包装体が記載されている。
【０００３】
この包装体は、正方形の底壁部５１の一辺に側壁部５２を連設すると共に、これに対向する他辺に側壁部５２及び天壁部５３を順次連設し、一斗缶を底壁部５１に載せて、底壁部５１、対向する側壁部５２及び天壁部５３で包み込むものである。
【０００４】
そして、側壁部５２の両側縁から延出した帯状の折返片５４を、底壁部５１に繋がる底繋片５５，５６の折込に伴い一斗缶に沿わせ、一方の側壁部５２の上部に連設した差込片５７の先端部を鉤状に折り曲げて、天壁部５３の端部のスリット５８に差し込むことにより、一斗缶に固定する。天壁部５３には、一斗缶の把手及びキャップをそれぞれ露出させる角穴５９及び円形穴６０が設けられている。
【先行技術文献】
【特許文献】
【０００５】
【特許文献１】実開昭６３−２６５０９号公報
【考案の概要】
【考案が解決しようとする課題】
【０００６】
しかしながら、上記のような包装体では、一斗缶の包装に際し、底壁部５１から側壁部５２を起立させた状態で、重量のある一斗缶を側壁部５２より上方まで持ち上げて、底壁部５１まで降ろさなければならず、作業に大きな労力を要する。
【０００７】
そこで、この考案は、一斗缶等の重量のある物品の包装作業を、少ない労力で容易に行うことができるようにすることを課題とする。
【課題を解決するための手段】
【０００８】
上記課題を解決するため、この考案は、底壁部、一方の側壁部、天壁部、他方の側壁部及び継代部を、平行な稜線を介して順次連設したブランクから成り、一対の側壁部及び天壁部を連設方向に延びる２列の壁帯に分割し、各壁帯の側壁部に、外側縁の中央から内側縁へかけて、稜線に対し４５°傾斜した斜折線を入れておき、稜線に沿った折り曲げに伴い、底壁部と継代部とを接合し、側壁部の斜折線に沿った折り曲げに伴い、天壁部が反転した扁平な折畳状態とし、その折畳状態で底壁部に物品を載せて、側壁部の斜折線に沿った折り曲げを伸ばすと、天壁部が正転して物品の上面に被さり、底壁部、対向する側壁部及び天壁部で物品が包まれるようにしたのである。
【０００９】
また、底壁部と側壁部の稜線に、壁帯の内側から中間部まで切目を入れ、物品の包装に際し、底壁部に対して各壁帯を、ある程度自由に外側へ傾けられるようにしたのである。
【００１０】
また、天壁部と側壁部の稜線に、壁帯の内側から中間部まで切目を入れ、天壁部に両側の切目間に亘る折目線を入れて、天壁部の折目線より内側部分を揺動片とし、物品の包装に際し、揺動片を開くように揺動させて、天壁部と物品との干渉を回避できるようにしたのである。
【００１１】
そして、一対の壁帯の天壁部の内側端に、壁帯同士を係合させる係合手段を設けて、物品に固定できるようにしたのである。
【考案の効果】
【００１２】
この考案に係る段ボール製包装体では、物品の包装に際し、折畳状態で底壁部に物品を載せて、側壁部の斜折線に沿った折り曲げを伸ばすだけで、天壁部が正転して物品の上面に被さり、底壁部、対向する側壁部及び天壁部で物品が包まれるので、物品を高く持ち上げる必要がなく、包装作業を少ない労力で容易に行うことができる。
【図面の簡単な説明】
【００１３】
【図１】この考案の実施形態に係る段ボール製包装体のブランクを示す裏面図
【図２】同上の折曲接合状態を示す平面図
【図３】同上の折畳過程を示す斜視図
【図４】同上の折畳状態を示す斜視図
【図５】同上の一包装過程を示す斜視図
【図６】同上の物品包装状態を示す斜視図
【図７】従来の段ボール製包装体の組立過程を示す斜視図
【考案を実施するための形態】
【００１４】
以下、この考案の実施形態を添付図面に基づいて説明する。
【００１５】
この包装体は、一斗缶の包装に使用されるものであり、図１に示すような段ボール製のブランクから形成される。
【００１６】
このブランクでは、底壁部１、一方の側壁部２、天壁部３、他方の側壁部２及び継代部４が平行な４本の稜線５を介して順次連設され、この連設方向に段ボールの中芯の段頂が延びる段目方向が向いている。底壁部１及び天壁部３は、一斗缶の底面及び天面より一回り大きい正方形とされ、稜線５は、段ボールの裏側から入れた押罫とされている。
【００１７】
一対の側壁部２及び天壁部３は、切目線を介して、連設方向に延びる２列の壁帯６に分割され、各壁帯６の側壁部２には、その外側縁の中央から内側縁へかけて、稜線５に対し４５°傾斜した斜折線７が入れられている。斜折線７は、稜線５と同様、山折方向に曲がりやすいように、段ボールの裏側から入れた押罫とされている。
【００１８】
各稜線５には、壁帯６の内側から中間部まで切目８が入れられ、天壁部３には、両方の稜線５の切目８間に亘る折目線９を入れて、天壁部３の折目線９より内側部分に揺動片１０が形成されている。折目線９は、稜線５及び斜折線７とは逆に、谷折方向に曲がりやすいように、段ボールの表側から入れた押罫とされている。
【００１９】
天壁部３において、対向する揺動片１０の先端両側部には、壁帯６同士を係合させるテーパー状の凸部と凹部とから成る係合手段１１が設けられ、中央部には、一斗缶の把手を露出させる角穴１２が設けられている。
【００２０】
このようなブランクから成る包装体は、まず、図１における位置Ｉ及びIIの稜線５に沿った巻き込むような折り曲げに伴い、図２に示すように、底壁部１と継代部４とを接合した状態とする。
【００２１】
次に、図３に示すように、壁帯６を一旦角環状に起こし、各壁帯６の側壁部２を各斜折線７に沿って山折方向へ折り曲げ、図４に示すように、天壁部３が反転した扁平な折畳状態となるようにする。このような折畳状態で保管しておくと、嵩張ることがない。
【００２２】
そして、一斗缶を包装する際には、図５に示すように、底壁部１に一斗缶Ｃを載せて、壁帯６を角環状に起こしつつ、側壁部２の斜折線７に沿った折り曲げを伸ばすと、天壁部３が正転して一斗缶Ｃの上面に被さる。
【００２３】
このとき、底壁部１と側壁部２の稜線５に切目８を入れていることにより、底壁部１に対して各壁帯６を、ある程度自由に外側へ傾けることができ、また、揺動片１０を開くように揺動させて、天壁部３と一斗缶Ｃとの干渉を回避できるので、天壁部３を一斗缶Ｃの上面に容易に被せることができる。
【００２４】
その後、図６に示すように、対向する壁帯６を突き合わせ、係合手段１１の凸部を凹部に噛み合わせて、壁帯６同士を係合させると、底壁部１、対向する側壁部２及び天壁部３で一斗缶Ｃが包まれた状態で、包装体が一斗缶Ｃに固定されるので、運搬時に一斗缶Ｃが保護され、液漏れが防止される
【００２５】
なお、上記実施形態では、一斗缶の運搬に使用されるものを例示したが、このような構成の包装体は、重量のある四角筒状の家電製品の運搬や、建築用の石材の運搬等に使用することもできる。
【００２６】
また、底壁部１及び天壁部３が正方形のものを例示したが、これらの形状は、包装する物品の平面形状に応じて、長方形や外側縁に凹凸を有する形状としてもよい。
【００２７】
そのほか、壁帯６同士を係合させる係合手段１１がテーパー状の凸部と凹部とから成るものを例示したが、係合手段１１の形式は、差込片をスリットに差し込むもの等、種々選択することができ、テープ貼りする場合には、係合手段１１を省略してもよい。
【符号の説明】
【００２８】
１  底壁部
２  側壁部
３  天壁部
４  継代部
５  稜線
６  壁帯
７  斜折線
８  切目
９  折目線
１０  揺動片
１１  係合手段
１２  角穴
Ｃ  一斗缶
【図１】
0003170871.tif 000003
【図２】
0003170871.tif 000004
【図３】
0003170871.tif 000005
【図４】
0003170871.tif 000006
【図５】
0003170871.tif 000007
【図６】
0003170871.tif 000008
【図７】
0003170871.tif 000009